【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
液体（１０３）用静電噴霧器（１０１）であって、
前記噴霧器（１０１）は、
ハウジング（１０４）と、
電力源（１０５）と、
起動手段（１０６）と、
制御電子回路（１０８）と、
高電圧源（１０９）と、
液体タンク（１１０）と、
送出装置（１１１）と、
噴霧ノズル（１０２ａ〜１０２ｈ）と、を備えており、
前記送出装置（１１１）は前記液体タンク（１１０）と前記噴霧ノズル（１０２ａ〜１０２ｈ）との間に配置されており、
前記送出装置（１１１）は第１ライン（１１２）によって前記液体タンク（１１０）に接続されていて、
前記送出装置（１１１）は第２ライン（１１３）によって前記噴霧ノズル（１０２ａ〜１０２ｈ）に接続されており、これにより、前記送出装置（１１１）は前記液体タンク（１１０）から液体（１０３）を吸引して前記噴霧ノズル（１０２ａ〜１０２ｈ）に送出する、ことを特徴とする静電噴霧器（１０１）。
【請求項２】
前記送出装置（１１１）は、ポンプ（１１４）であり、当該ポンプは、容積式ポンプであり、複数のホースのためのホースポンプとして、複数流路の蠕動ポンプとして構成されており、かつ、前記液体タンク（１１０）から液体（１０３）を吸引する吸引ポンプ（１１５）であり、ポンプ動作中に、前記ホースポンプ（１１６）は圧延するようにして変形させることによって、送出ホース（１１７）のうち前記第１ライン（１１２）と前記第２ライン（１１３）との間に配置された部分を特に完全に狭窄する、ことが特に提供されている、ことを特徴とする、請求項１記載の噴霧器。
【請求項３】
前記噴霧器（１０１）は切り替えデバイス（１１８）を備えており、前記切り替えデバイス（１１８）を用いて、前記送出装置の送出方向、を切り替えることが可能であり、その切り替えは、前記ホースポンプ（１１６）を、前記液体タンク側にある吸引ポンプとしての送出モードと、前記液体タンク側にある圧力ポンプとしての戻りモードと、の間で切り替え可能であることによりなる、ことを特徴とする、請求項１又は請求項２に記載の噴霧器。
【請求項４】
前記送出装置（１１１）及び／または前記高電圧源（１０９）は起動手段（１０６）を介して起動可能であり、前記起動手段は、スイッチまたはボタン（１０７）であり、前記スイッチまたは前記ボタン（１０７）の作動要素（１０７ａ）は導電性であり、前記噴霧ノズル（１０２ａ〜１０２ｈ）に対して反対極として構成されていて、かつ／または、前記噴霧器は動作状態を使用可能にするメインスイッチを有し、前記メインスイッチはスライド、スライドスイッチ、ボタン、またはセンサとして構成されている、ことを特徴とする、請求項１から請求項３のいずれか１項に記載の噴霧器。
【請求項５】
前記噴霧器（１０１）は、音響信号送信器（１１９）及び／または光信号送信器及び／または触覚送信器及び／または振動信号送信器、であって、前記制御電子回路（１０８）に接続されている信号送信器を備える、ことを特徴とする、請求項１から請求項４のいずれか１項に記載の噴霧器。
【請求項６】
前記噴霧器（１０１）は接続手段（１２０）を備えており、前記液体タンク（１１０）は、自動開放・自動閉鎖弁（１２１）を介して前記接続手段（１２０）に脱着可能に接続されており、かつ／または、前記液体タンクは前記接続手段を備えている、ことを特徴とする、請求項１から請求項５のいずれか１項に記載の噴霧器。
【請求項７】
前記液体タンク（１１０）は自己崩壊タンクとして構成されていて、フィルムバッグ（１１０ａ）または受動的な追従ピストンを有する容器を備えている、ことを特徴とする、請求項１から請求項６のいずれか１項に記載の噴霧器。
【請求項８】
前記第１ライン（１１２）、前記第２ライン（１１３）、及び前記送出ホース（１１７）は１つの部品として形成されていて、接続ホース（１２２）として形成されている、ことを特徴とする、請求項１から請求項７のいずれか１項に記載の噴霧器。
【請求項９】
前記第１ライン及び前記第２ラインは、複数のホースを備えており、かつ／または、各噴霧ノズルに対して、ホースそれぞれが前記噴霧ノズルから前記送出装置を通って前記液体タンクへとつながっていて、並行して延びる複数のホースを備えているホースアセンブリとして形成されている、ことを特徴とする、請求項１から請求項８のいずれか１項に記載の噴霧器。
【請求項１０】
前記液体タンク（１１０）と前記制御電子回路（１０８）及び／または前記液体タンク（１１０）を収容する前記ハウジング（１０４）との間には、前記液体タンク（１１０）を識別する手段（１２３）が構成されており、これらの手段（１２３）は、機械式コーディングとして構成されていて、これによりインターロックが形成されており、かつ／または、電子式コーディングとしてとして構成されていて、かつ／または、接点を介する電気式ライン経路を形成することによって構成されている電気式コーディングとして構成されている、ことを特徴とする、請求項１から請求項９のいずれか１項に記載の噴霧器。
【請求項１１】
前記噴霧器（１０１）は少なくとも８個の噴霧ノズル（１０２ａ〜１０２ｈ）を備えている、ことを特徴とする、請求項１から請求項１０のいずれか１項に記載の噴霧器。
【請求項１２】
前記噴霧器（１０１）は少なくとも２個の噴霧ノズルを備えている、ことを特徴とする、請求項１から請求項１１のいずれか１項に記載の噴霧器。
【請求項１３】
前記噴霧ノズル（１０２ａ〜１０２ｈ）はノズル配列（１２４）を構成し、前記ノズル配列（１２４）は格子線（１２７ａ〜１２７ｆ）が格子点（１２６ａ〜１２６ｉ）で交差している格子（１２５）として構成されていて、前記噴霧ノズル（１０２ａ〜１０２ｈ）は、平行な格子線（１２７ａ，１２７ｂ，１２７ｃ；１２７ｄ，１２７ｅ，１２７ｆ）の格子点（１２６ａ〜１２６ｉ）、または三角格子構造の頂点を構成することが特に提供されている、ことを特徴とする、請求項１から請求項１２のいずれか１項に記載の噴霧器。
【請求項１４】
前記ハウジング（１０４）は、把持部（１２８）と、ヘッド部（１２９）と、前記把持部（１２８）と前記ヘッド部（１２９）との間に配置された中間部（１３０）とを備えており、前記噴霧ノズル（１０２ａ〜１０２ｈ）は前記ヘッド部（１２９）内に配置され、前記送出装置（１１１）は前記液体タンク（１１０）と前記噴霧ノズル（１０２ａ〜１０２ｈ）との間に配置され、かつ／または、前記噴霧器（１０１；２０１；３０１；４０１）の前記ハウジング（１０４）は長さ（Ｌ１０１；Ｌ２０１；Ｌ３０１；Ｌ４０１）が１０〜３０ｃｍである、ことを特徴とする、請求項１から請求項１３のいずれか１項に記載の噴霧器。
【請求項１５】
前記ハウジング（１０４）は、把持部（１２８）と、ヘッド部（１２９）と、前記把持部（１２８）と前記ヘッド部（１２９）との間に配置された中間部（１３０）とを備えており、前記噴霧ノズルは前記ヘッド部内に配置され、前記液体タンクは前記送出装置と前記噴霧ノズルとの間に配置され、かつ／または、前記噴霧器（１０１；２０１；３０１；４０１）の前記ハウジング（１０４）は長さ（Ｌ１０１；Ｌ２０１；Ｌ３０１；Ｌ４０１）が１０〜３０ｃｍである、ことを特徴とする、請求項１から請求項１４のいずれか１項に記載の噴霧器。
【請求項１６】
前記ハウジング（２０１；３０１；４０１）は伸縮式であり、その結果、前記ヘッド部（２２９）と前記把持部（２２８）との間の距離は可変であり、かつ／または、前記ヘッド部（３２９）と前記把持部（３２８）は互いに介して回転可能であり、かつ／または、前記ヘッド部（４２９）及び前記把持部（４２８）は、傾きを調整することによって互いに対して角度が可変である、ことを特徴とする、請求項１から請求項１５のいずれか１項に記載の噴霧器。
【請求項１７】
前記噴霧器（１０１）は前記第１液体タンク（１１０）に加えて第２液体タンクを備えており、かつ／または、前記噴霧器（１０１）は前記第１送出装置（１１１）に加えて第２送出装置を備えていて、かつ／または、前記送出装置と前記噴霧ノズル（１０２ａ〜１０２ｈ）との間には混合デバイスが配置されている、ことを特徴とする、請求項１から請求項１６のいずれか１項に記載の噴霧器。
【請求項１８】
前記噴霧器（１０１）は加熱デバイス（１４０）及び／または冷却デバイス（１４１）を備えていて、前記液体（１０３）は、前記噴霧ノズル（１０２ａ〜１０２ｆ）から放たれる前に所定の温度及び／または粘度を実現するように加熱可能または冷却可能である、ことを特徴とする、請求項１から請求項１７いずれか１項に記載の噴霧器。
【請求項１９】
請求項１から請求項１８のいずれか１項に記載されている噴霧器（１０１）の動作方法であって、前記送出装置（１１１）を、液体（１０３）を前記液体タンク（１１０）から前記噴霧ノズル（１０２ａ〜１０２ｈ）に給送する方向である送出方向と、液体（１０３）を前記噴霧ノズル（１０２ａ〜１０２ｈ）から前記液体タンク（１１０）の方向に給送する方向である戻り方向と、の両方向に前記液体（１０３）を送出するように動作させる、ことを特徴とする方法。
【請求項２０】
液体（１０３）用静電噴霧器（１０１）であって、
前記噴霧器（１０１）は、
ハウジング（１０４）と、
電力源（１０５）と、
起動手段（１０６）と、
制御電子回路（１０８）と、
高電圧源（１０９）と、
液体タンク（１１０）と、
送出装置（１１１）と、
噴霧ノズル（１０２ａ〜１０２ｈ）と、を備えていて、
前記制御電子回路（１０８）及び前記高電圧源（１０９）は、前記ハウジング（１０４）の内部空間（１３１）に配置されており、
前記噴霧器（１０１）は非作動位置（Ｒ１０１）と作動可能位置（Ａ１０１）との間で切り替え可能であり、
前記非作動位置（Ｒ１０１）にある前記噴霧ノズル（１０２ａ〜１０２ｈ）は前記ハウジング（１０４）の前記内部空間（１３１）に位置しており、
前記作動可能位置（Ａ１０１）にある前記噴霧ノズル（１０２ａ〜１０２ｈ）は前記ハウジング（１０４）の外側（１３２）を越えて突出していて、
この目的のために、前記ハウジング（１０４）及び前記噴霧ノズル（１０２ａ〜１０２ｈ）は互いに対して可変である、ことを特徴とする、噴霧器（１０１）。
【請求項２１】
前記噴霧器（１０１）はさらに、請求項１〜１８のうちの少なくとも１項の特徴を備えている、ことを特徴とする、請求項２０記載の噴霧器。